(57)【要約】【課題】  装飾片の変形を抑制でき、また使用者の爪等を引っ掛り難く、更に装飾片が脱落し難く、更また所定の方向に装飾片を取付けることができる筆記具を提供する。【解決手段】  クリップ４に一体に形成された、装飾片７が取付けられる取付け部４ｂと、前記取付け部４ｂ及び装飾片７に形成された、係止突起４ｆ、７ａ及び係止穴４ｅ，７ｂからなる少なくとも二組の固定手段と、前記クリップ４の玉部４ｇ側に位置する固定手段を囲うように、取付け部４ｂの三方に形成されたスリット４ｄとを備え、前記係止突起を係止穴に嵌合させることによって、クリップ４に対して装飾片７を固定することを特徴としている。【選択図】  図３
2006192576.tif 000002
【特許請求の範囲】
【請求項１】
クリップに一体に形成された、装飾片が取付けられる取付け部と、前記取付け部及び装飾片に形成された、係止突起及び係止穴からなる少なくとも二組の固定手段と、前記クリップの玉部側に位置する固定手段を囲うように、取付け部の三方に形成されたスリットとを備え、
前記係止突起を係止穴に嵌合させることによって、クリップに対して装飾片を固定することを特徴とする筆記具。
【請求項２】
前記取付け部の三方に形成されたスリットの端部が、クリップの玉部側に位置する固定手段から、前記固定手段間の寸法の１／６から２／３の範囲の寸法をもって延設されていることを特徴とする請求項１記載の筆記具。
【請求項３】
前記取付け部は、クリップの外形から凹んだ凹部内に形成され、装飾片の下部が前記凹部内に収納されると共に装飾片の上部が凹部から突出した状態で、装飾片が取付け部に取付けられ、
前記装飾片が取付けられた状態において、クリップの外形と装飾片の外形とが連続的につながるように形成されていることを特徴とする請求項１または請求項２記載の筆記具。
【請求項４】
前記スリットは、使用者の指を挿入することができない寸法に形成されると共に、
前記装飾片が付けられた状態において、前記スリットに望む取付け部の端面と、装飾片の端面とが略同一面に形成されていることを特徴とする請求項３記載の筆記具。
【請求項５】
前記装飾片の側面は、クリップが取り付けられたキャップ本体の軸心に向かうに連れて先細りするテーパ面として形成されると共に、クリップの凹部を形成する側面も前記キャップ本体の軸心に向かうに連れて先細りするテーパ面として形成されていることを特徴とする請求項３記載の筆記具。
【請求項６】
前記取付け部及び装飾片に形成された、係止突起及び係止穴からなる少なくとも二組の固定手段は、取付け部に形成された係止穴及び装飾片に形成された係止突起からなる固定手段と、取付け部に形成された係止突起及び装飾片に形成された係止穴からなる固定手段とを含むことを特徴とする請求項１記載の筆記具。
【発明の詳細な説明】
【技術分野】
【０００１】
本発明は、クリップに装飾片を取付けた筆記具に関するものである。
【背景技術】
【０００２】
筆記具における装飾片は主に、外観意匠の美観向上、使用上の注意事項、インキの色表示、キャラクター商品、宣伝、商品名等を表示することを目的として取付けられている。通常この種の装飾片は合成樹脂等の成形体であるため、接着、溶着、凹凸嵌合等の手段を用いることにより、筆記具のクリップ等に取付けられている。
【０００３】
従来の取付け方法において、先ず接着剤による接着が挙げられるが、接着剤による接着の場合、接着剤のはみ出しによる外観上の見栄えの低下、経時的な接着強度の低下などの問題があった。
また、溶着については素材同士の融点の差によって、使用する素材の制約を受け、また溶着圧によって装飾片にキズがつく等の問題があった。
更に、凹凸嵌合の場合は、凹部と凸部のピッチにバラツキが生ずると、位置あわせが困難となり、取付けることができないという問題があった。
【０００４】
本願出願人は、かかる問題を解決するため、凹凸嵌合による方法を用いた取付け方法について鋭意検討し、装飾片を容易に取付けることができ、さらに外観意匠の美観を損なわない筆記具を、特開２００３−２００６９４号公報において提案している。
【０００５】
この提案した筆記具を図１０，１１に基づいて説明する。図１０、図１１は、ボールペン等に用いられるキャップ５０を示した図であって、図に示すようにキャップ本体５１の先端部にはクリップ５２が取付けられている。そして、このクリップ５２の前面に、装飾片５３が取付けられている。
この装飾片５３には、長手方向に二つの係止突起５３ａ、５３ｂが形成され、クリップ５２には、前記係止突起５３ａ，５３ｂと係止する二つの係止穴５２ａ、５２ｂが形成されている。
【０００６】
そして、前記係止穴の少なくとも１つ（図１１に示した筆記具にあっては係止穴５２ｂ）は、筆記具軸方向（キャップ本体５１の軸方向）に延設された長穴として形成されている。なお、この係止穴５２ｂは、前記したようにキャップ本体５１の軸方向に長穴に形成されているが、前記軸方向と直交する方向は、前記係止穴５２ａと同一の寸法に形成されている。
【０００７】
このように係止穴５２ｂがキャップ本体５１の軸方向に長穴に形成されているため、係止穴及び係止突起のピッチにバラツキが生じても、そのバラツキを吸収でき、容易に組立を行うことができる。
また、前記したように係止穴５２ｂを長穴にすることで、組立時、装飾片５３を圧入させるために荷重をかけた際、装飾片５３の係止突起５３ｂを係止穴５２ｂに垂直に圧入することができなくても、圧入力を増大させることなく組み立てることできる。
【０００８】
【特許文献１】特開２００３−２００６９４号公報
【発明の開示】
【発明が解決しようとする課題】
【０００９】
ところで、前記キャップ本体５１とクリップ５２とで、ポケットの縁、あるいはノートの縁等を挟持する場合、前記クリップ５２は図１１の矢印に示すように、外側に拡開される。即ち、クリップ５２及び装飾片５３は変形する。
このとき、前記装飾片５３の係止突起５３ａ，５３ｂがクリップ５２の係止穴５２ａ，５２ｂに嵌合することによって、装飾片５３はクリップ５２に固定されているため、前記変形によって装飾片５３がクリップ５２から脱落し、あるいはまた装飾片５３がクリップ５２から浮き上がり不完全な取付け状態になるという課題があった。
【００１０】
また、装飾片５３はクリップ５２の表面に載置された状態で取付けられているため、使用者が爪等を引っ掛けることによって、装飾片５３が容易に脱落するという課題があった。
【００１１】
更に、前記筆記具にあっては、クリップ５２に二つの係止穴５２ａ，５２ｂを形成すると共に、装飾片５３に二つの係止突起５３ａ、５３ｂが形成され、両者を嵌合させることによって装飾片５３を固定しているため、装飾片５３の方向性については考慮されていなかった。
即ち、前記筆記具にあっては、装飾片５３をクリップ５２に対して、上下逆方向に取付けられるという課題があった。そのため、装飾片５３を上下対称に形成する必要があり、デザイン的に制約を受けるものであった。
【００１２】
本発明はかかる課題を解決するためになされたものであり、装飾片の変形を抑制でき、また使用者の爪等を引っ掛り難く、更に装飾片が脱落し難く、更また所定の方向に装飾片を取付けることができる筆記具を提供することを目的とするものである。
【課題を解決するための手段】
【００１３】
上記目的を達成するためになされた本発明にかかる筆記具は、クリップに一体に形成された、装飾片が取付けられる取付け部と、前記取付け部及び装飾片に形成された、係止突起及び係止穴からなる少なくとも二組の固定手段と、前記クリップの玉部側に位置する固定手段を囲うように、取付け部の三方に形成されたスリットとを備え、前記係止突起を係止穴に嵌合させることによって、クリップに対して装飾片を固定することを特徴としている。
【００１４】
このように、前記取付け部に形成されたクリップの玉部側に位置する固定手段を囲うように、取付け部の三方にスリットが形成されているため、キャップ本体とクリップとで、ポケットの縁、あるいはノートの縁等を挟持し、前記クリップが外側に拡開されても、取付け部の変形は抑制される。
その結果、前記装飾片はクリップに対して嵌合によって固定されていても、取付け部の変形が抑制されるため、装飾片がクリップから脱落し、あるいは装飾片がクリップから浮き上がり不完全な取付け状態になることを防止できる。
【００１５】
ここで、取付け部の機械的強度を保ちつつ、取付け部の変形を抑制するには、
前記取付け部の三方に形成されたスリットの端部が、クリップの玉部側に位置する固定手段側から、前記固定手段間の寸法の１／６から２／３の範囲の寸法をもって延設されていることが好ましい。
【００１６】
また、前記取付け部は、クリップの外形から凹んだ凹部内に形成され、装飾片の下部が前記凹部内に収納されると共に装飾片の上部が凹部から突出した状態で、装飾片が取付け部に取付けられ、前記装飾片が取付けられた状態において、クリップの外形と装飾片の外形とが連続的につながるように形成されていることが好ましい。
このように、取付けられる装飾片がクリップに形成された凹部内の取付け部に取付けられ、しかもクリップの外形形状に連続して、装飾片の外形形状が続くように形成されているため、使用者の爪等が装飾片に引っ掛り難く、装飾片の脱落を防止できる。
【００１７】
更に、使用者によって意図的に装飾片を取り外すことができないようになすため、前記スリットは、使用者の指を挿入することができない寸法に形成されると共に、前記装飾片が付けられた状態において、前記スリットに望む取付け部の端面と、装飾片の端面とが略同一面に形成されていることが好ましい。
【００１８】
また、前記装飾片の側面は、クリップが取付けられたキャップ本体の軸心に向かうに連れて先細りするテーパ面として形成されると共に、クリップの凹部を形成する側面も前記キャップ本体の軸心に向かうに連れて先細りするテーパ面として形成されていることが好ましい。このように、装飾片及びクリップの凹部にテーパ面が形成されているため、装飾片を前記凹部内に収納し易く、容易に取付けることができる。
【００１９】
更に、前記取付け部及び装飾片に形成された、係止突起及び係止穴からなる少なくとも二組の固定手段は、取付け部に形成された係止穴及び装飾片に形成された係止突起からなる固定手段と、取付け部に形成された係止突起及び装飾片に形成された係止穴からなる固定手段とを含むことが好ましい。
このように、装飾片に係止突起、係止穴が形成され、一方取付け部に係止穴、係止突起が形成されているため、装飾片を常に所定の方向に取付けることができる。その結果、装飾片を間違えることなく、一定の方向に配置することができるため、デザインの制約も受けることがない。
【発明の効果】
【００２０】
本発明にかかる筆記具によれば、装飾片の変形を抑制でき、また使用者の爪等を引っ掛り難く、更に装飾片が脱落し難く、更また所定の方向に装飾片を取付けることができる。
【発明を実施するための最良の形態】
【００２１】
本発明の一実施形態を図１乃至図９に基づいて説明する。尚、図１は筆記具の側面図であって上半分を断面で示した図である。図２はキャップを示した平面図、図３は図２に示したキャップの断面図、図４は図３に示した断面図であって、（ａ）はＡ−Ａ断面図、（ｂ）はＢ−Ｂ断面図、（ｃ）はＣ−Ｃ断面図である。また図５はクリップ本体の断面図、図６は図５に示したクリップ本体の平面図、図７は装飾片の底面図、図８は図７に示した装飾片の断面図、図９は、図８に示した装飾片の断面図であって、（ａ）はＡ−Ａ断面図、（ｂ）はＢ−Ｂ断面図、（ｃ）はＣ−Ｃ断面図である。
【００２２】
図１に示すように、この筆記具１は、尾栓６が軸筒５に圧入され、この軸筒５の先端部にはキャップ２（キャップ本体３）が着脱自在に取付けられている。そして、前記軸筒５の中には、前記ペン先１０が取付けられたボールペンリフィール１１が搭載されている。
このリフィールに搭載されるインキの種類については、水性インキ、ゲルインキ、油性インキのいずれでも良く、またインキを直接搭載した水性ボールペンであっても良い。そして、軸筒５の材質は、熱可塑性樹脂であり、搭載したリフィールが可視でき、内部のインク搭載量が把握できるるように、透明であることが望ましい。
【００２３】
また、前記キャップ２はキャップ本体３と、このキャップ本体３の先端部に取付けられたクリップ４とから構成されている。このクリップ４には天栓４ａが一体に形成され、前記天栓４ａをキャップ本体３の先端部に嵌合させることにより、クリップ４はキャップ本体３に取付けられている。さらに、前記天栓４ａにはシールゴム８が取付けられ、キャップ２を前記軸筒５に装着した際には、筆記具１のペン先１０のボールチップ部１０ａがシールゴム８に接し、ボールチップ部１０ａの密閉が図られる。
【００２４】
また、前記クリップ４には、装飾片７を取付けるための取付け部４ｂが設けられている。この装飾片７の表面には、パッド印刷、シルク印刷や、転写フィルムにより、装飾部が形成されている。
尚、前記装飾部は装飾片７の表面に限定されることなく、取付け部４ｂの上面あるいは装飾片７の裏面に装飾部を形成すると共に装飾片７を透明体で形成しても良い。このように形成した場合には装飾片４のレンズ効果により、その装飾を際立たせることができる。
【００２５】
また、この取付け部４ｂは、図５に示すように、クリップ４の外形から凹んだ凹部４ｃ内に形成されている。即ち、図１，３，４に示すように、装飾片７の下部が前記凹部４ｃ内に収納されると共に装飾片の上部が凹部４ｃから突出した状態で、装飾片７は取付け部４ｂに取付けられる。
そして、図３、図４に示すように、装飾片７が取付けられた状態において、クリップ４の外形（輪郭）が装飾片７の外形（輪郭）とが連続的につながるように形成されている。即ち、クリップ４の円弧状の外形に連続して、装飾片の円弧状の外形が続くように取付けられる。
【００２６】
特に、装飾片７とクリップ４との間の隙間Ｓは極力小さくするのが望ましい。
ここで、図４、図９に示すように、装飾片７の側面７ｄ、７ｅは、キャップ本体３の軸心に向かうに連れて先細りするテーパ面として形成されている。
また、クリップ４の凹部４ｃを形成する側面４ｈ、４ｉも、同様にキャップ本体３の軸心に向かうに連れて先細りするテーパ面として形成されている。
このようにテーパ面が形成されているため、装飾片７を前記凹部４ｃ内に収納し易く、容易に取付けることができる。特に、両者のテーパ面の角度を変える（装飾片７のテーパ面の角度を、凹部４ｃのテーパ面の角度より大きくする）ことにより、装飾片７をクリップ４に取付けた際のクリップ表面上の隙間Ｓを、容易に小さくすることができる。
【００２７】
このように、取付けられる装飾片７がクリップ４に形成された凹部４ｃ内の取付け部４ｂに取付けられ、しかもクリップ４の外形形状に連続して、装飾片７の外形形状が続くように形成されているため、使用者の爪等が装飾片に引っ掛り難く、装飾片の脱落を防止できる。
また前記したように、装飾片７をクリップ４に取付けた際のクリップ表面上の隙間Ｓを、極力小さくすることによって、使用者の爪等が装飾片により引っ掛り難く、装飾片の脱落をより防止できる。
【００２８】
また、前記クリップ４の取付け部４ｂには、図３、図５に示すように先端部側に装飾片７の係止突起７ａが嵌合する係止穴４ｅが形成され、後端部側（クリップ４の玉部４ｇ側）には装飾片７の係止穴７ｂに嵌合する係止突起４ｆが形成されている。
このように、装飾片７に係止突起７ａ、係止穴７ｂが形成され、一方取付け部４ｂに係止穴４ｅ、係止突起４ｆが形成されているため、装飾片７を常に所定の方向に取付けることができる。このように、装飾片７を間違えることなく、一定の方向に配置することができるため、デザインの制約も受けることがない。
【００２９】
更に、前記装飾片７の係止突起７ａは、取付け部４ｂの係止穴４ｅと略同一径に形成され、がたつくことなく、嵌合するように形成されている。
一方、装飾片７の係止穴７ｂは、取付け部４ｂの係止突起４ｆよりも大径に形成されている。しかし、その係止穴７ｂの内部には、図７、図８、図９に示されるように、前記係止突起４ｆの直径と略同一寸法に形成された一対の面部７ｃが形成され、前記面部７ｃにより係止突起４ｆは、図７の矢視Ｙ方向（クリップの軸方向に直交する方向）にはがたつくことなく、取付けられる。
なお、係止穴７ｂの矢視Ｘ方向は、係止突起４ｆの直径よりも大径のいわゆる長穴に形成されているため、係止穴及び係止突起のピッチにバラツキが生じても、そのバラツキを吸収でき、容易に組立を行うことができる。
【００３０】
したがって、装飾片７をクリップ４の取付け部に取付ける際には、まず、装飾片７の係止突起７ａをクリップ４の係止穴４ｅに嵌合させる。これにより装飾片７の一端部を基準位置に置き、続いて装飾片７の係止穴７ｂにクリップ４の係止突起４ｆを嵌合させる。
このとき、装飾片７における係止突起７ａと係止穴７ｂとの距離と、取付け部４ｂにおける係止穴４ｅと係止突起４ｆとの距離が同一寸法でなくても、装飾片７の係止穴７ｂが、取付け部４ｂの係止突起４ｆよりも大径に形成され、しかも係止穴７ｂの内部に、前記係止突起４ｆの直径と略同一寸法に形成された一対の面部７ｃが形成されているため、がたつくことなく、取付けられる。
【００３１】
更に、前記取付け部４ｂのクリップ４の玉部４ｇ側には、スリット４ｄが形成されている。このスリット４ｄは、図６に示すように前記係止突起４ｆを囲うように形成され、スリット４ｄの端部はクリップ４の略中間位置まで形成されている。
このように係止突起４ｆを囲うようにスリット４ｄが形成されているため、キャップ本体３とクリップ４とで、ポケットの縁、あるいはノートの縁等を挟持し、前記クリップ４が図５の矢印に示すように外側に拡開されても、取付け部４ｂの変形は抑制される。
その結果、前記装飾片７がクリップ４に対して凹凸による固定であっても、取付け部４ｂの変形が抑制されるため、装飾片７がクリップ４から脱落し、あるいは装飾片７がクリップ４から浮き上がり不完全な取付け状態になることを防止できる。
【００３２】
また前記スリット４ｄの端部はより深く、言い換えれば係止穴４ｅの近傍まで形成するのが好ましいが、取付け部４ｂの機械的強度が弱くなる。そのため、係止突起４ｆからスリット４ｄの端部までの寸法Ｌ２が、係止穴４ｅと係止突起４ｆとの距離Ｌ１の１／６から２／３とするのが好ましい。
【００３３】
また、クリップ４に装飾片７を取付けた状態において、図３に示すように、前記スリット４ｄに望む取付け部の端面４ｊと装飾片７の端面７ｆとが略同一面になるように形成されている。また、前記スリット４ｄは、その中に使用者の指等を挿入することができない寸法に形成されている。
このように、所定の寸法にスリット４ｄが形成され、しかも前記スリット４ｄに望む取付け部４ｂの端面４ｊと装飾片７の端面７ｆとが略同一面になるように形成されているため、使用者によって意図的に装飾片７を取り外すことができない。
【００３４】
なお、上記実施形態にあっては、装飾片７に形成された係止突起７ａ及び係止穴７ｂと、取付け部４ｂに形成された係止穴４ｅ及び係止突起４ｆとの固定手段が二つの場合について説明したが、本発明は特にこれに限定されるものではなく、前記固定手段間に新たに係止突起及び係止穴からなる固定手段を設けても良い。
この場合、前記したスリット４ｄの端部は、両端に位置する固定手段の寸法をＬ１として、その距離Ｌ１の１／６から２／３の範囲内で、玉部側の固定手段（端に位置する固定手段）からスリット４ｄの端部までの寸法Ｌ２を決めると良い。
【産業上の利用可能性】
【００３５】
以上の説明においては、ボールペンを例にとって説明したが、ボールペンに限らずシャープペンシル、万年筆等の筆記具にも適応することができる。
【図面の簡単な説明】
【００３６】
【図１】図１は、本発明にかかる実施形態の側面図であって上半分を断面で示した図である。
【図２】図２は、図１に示したキャップを示した平面図である。
【図３】図３は図２に示したキャップの断面図である。
【図４】図４は図１に示したキャップの断面図であって、（ａ）は図３に示すＡ−Ａ断面図、（ｂ）はＢ−Ｂ断面図、（ｃ）はＣ−Ｃ断面図である。
【図５】図５は、図１に示したクリップ本体の断面図である。
【図６】図６は図５に示したクリップ本体の平面図である。
【図７】図７は、図１に示した装飾片の底面図である。
【図８】図８は図７に示した装飾片の断面図である。
【図９】図９は、図７に示した装飾片の断面図であって、（ａ）は図８に示すＡ−Ａ断面図、（ｂ）はＢ−Ｂ断面図、（ｃ）はＣ−Ｃ断面図である。
【図１０】図１０は、従来のキャップを示す平面図である。
【図１１】図１１は、図１０に示したキャップを示す一部断面図である。
【符号の説明】
【００３７】
１    筆記具
２    キャップ
３    キャップ本体
４    クリップ
４ｂ  取付け部
４ｃ  凹部
４ｄ  スリット
４ｅ  係止穴
４ｆ  係止突起
４ｈ  側面
４ｉ  側面
４ｊ  端面
５    軸筒
６    尾栓
７    装飾片
７ａ  係止突起
７ｂ  係止穴
７ｃ  面部
７ｄ  側面
７ｅ  側面
７ｆ  端面
【図１】
2006192576.tif 000003
【図２】
2006192576.tif 000004
【図３】
2006192576.tif 000005
【図４】
2006192576.tif 000006
【図５】
2006192576.tif 000007
【図６】
2006192576.tif 000008
【図７】
2006192576.tif 000009
【図８】
2006192576.tif 000010
【図９】
2006192576.tif 000011
【図１０】
2006192576.tif 000012
【図１１】
2006192576.tif 000013